(57)【要約】      （修正有）【課題】一部波形板バネを利用して縦や横に揺動運動できる運動器具を提供する。【解決手段】基台の前端と後端の裏面部にコ型金具が設け、基台前部の裏面部に個着されたコ型金具４８には前部支持足４が挟持され、また後部コ型金具４９には後部支持足９が挟持される、それに基台１の上面部には主柱管が立設されており、立設された主柱管の上部には揺動体が設けてあり、その揺動体の下部に突設されるよう枢軸管１７が設けてある、その枢軸管の開口部の内側に主柱管を覆い被せるように軸着し、主柱管に軸着することで枢軸管部が回転できるようになる、また枢軸管の上部に設けてある揺動体部の中央部には一部波形板バネ２１が取付けられており、また揺動体部の後部上面には、前後動が自由にできる載置パネル２８が設けられていてこの載置パネルに人が足動することによって中央部に取付けてある一部波形板バネ２１の弾性を受けることによりその弾性によって上下動と横振動がおこなわれるように構成してある。【選択図】図１
0003159735.tif 000002
【実用新案登録請求の範囲】
【請求項１】
基台の上面に主柱管を立設しており、この主柱管の上部には縦振りや横振りなどの揺動反復運動ができる揺動体が装着されていて、この揺動体の下面には主柱管に緩挿する枢軸管が下方向へ突設するように設けられ、それにより基台の上面に立設されている主柱管の外周部の外側を枢軸管の開口部の内に収納するように構成したことにより枢軸管の回転動ができるようになり、そうすることにより枢軸管の上部に装着されている揺動体も回転動をなす、この揺動体には、２本の載置パネル係止管が取付けられており、この２本のパイプの後部上面には人を載置できる移動可能な載置パネルがこの２本のパイプに係止されていて、また２本のパイプの中間部に係止用パイプと並行に一部波形板バネが取付けられており、それによって載置パネルを人の足動することにより一部波形板バネの弾性をうけて揺動体が揺動運動することを特徴とする縦横揺動運動器具。
【請求項２】
また一部波形板バネの前部にはバネの跳ね上がりを押さえるためのブラケットが設けられており、このブラケットは枢軸管から前方向に突設するよう枢軸管に個着させており、このブラケットの先端部においては一部波形板バネを繋止するように構成してあり、こうして板バネの跳ね上がりをおさえることがでる、このようにして作用点部と支点部を枢軸管部に集設させたことを特徴とする請求項１に記載の縦横揺動運動器具。
【考案の詳細な説明】
【技術分野】
【０００１】本考案は、一部波形板バネを利用して縦や横に揺動運動できる運動器具に関する。
【背景技術】
【０００２】従来の跳躍運動器具には板バネを利用した（特許文献１参照）があり、スプリングの弾性を利用して横振り動もできる（特許文献２参照）もある。
【先行技術文献】
【特許文献】
【０００３】
【特許文献１】特開２００４−５２００８６号公報（第５頁、図２）
【特許文献２】特開２００２−１５９６０５号公報（第５頁、図４）
【考案の概要】
【考案が解決しようとする課題】
【０００４】本考案の目的は、板バネやスプリングの弾性を利用した運動器具など、今までは使用する人のほとんどが若い人であった、今回考案した運動器具は、若い人からお年寄りまで使用できることを目的とした運動器具を提供することにある。
【課題を解決するための手段】
【０００５】一部波形板バネを利用することで揺動体の緩やかな上下反復運動が行えるとともに枢軸管部が回転をなすことによって揺動体の左右の振り運動もおこなえる、また載置パネルを自由に前後移動させることにより体重の異なる人でも使用することができる。
【考案の効果】
【０００６】上述した様に、本考案の縦横揺動運動器具は、一部波形板バネの使用により柔らかな揺動運動が得られることができ、それによってお年寄りから若いアスリートまで全身運動を行うことができる、特に足腰廻りの内筋や外筋等が無理なく緩やかな感覚で鍛えられるとともに、載置パネルの移動も自由に行え、それにより体重が異なる人の利用が可能である、また板バネの押圧を受ける押圧受部が枢軸管の頭部に設けられており、バネと接触する押圧受の上面部を湾曲にしたことにより揺動運動時の板バネは押圧受の湾曲部をなめるように押圧しながら押圧位置を移動させて行き、押圧点を分散させることにより板バネの金属疲労を和らげるとともに板バネが柔らかく揺れうごくようになる、特にお年寄りの膝や腰の運動には衝撃もなく柔らかな揺動運動が行えるようになる。
【図面の簡単な説明】
【０００７】
【図１】本考案に従う縦横揺動運動器具の一実施形体を示す斜視図である。
【図２】本考案の縦横揺動運動器具の一実施形体を示す断面図である。
【図３】本考案の芯柱体に装着された揺動体支持部の断面図である。
【考案を実施するための形態】
【０００８】基台の前端と後端の裏面部にコ型金具が設けており、図２に示すように、基台前部の裏面部に個着されたコ型金具４８には前部支持足４が挟持され、また後部コ型金具４９には後部支持足９が挟持される、それに基台１の上面部には主柱管２が立設されており、立設された主柱管２の上部には揺動体が設けてあり、その揺動体の下部に突設されるよう枢軸管１７が設けてある、その枢軸管の開口部の内側に主柱管を覆い被せるように軸着し、主柱管に軸着することで枢軸管部が回転できるようになる、また枢軸管の上部に設けてある揺動体部の中央部には一部波形板バネ２１が取付けられており、また揺動体部の後部上面には、前後動が自由にできる載置パネル２８が設けられていてこの載置パネルに人が足動することによって中央部に取付けてある一部波形板バネ２１の弾性を受けることによりその弾性によって上下動と横振動がおこなわれるように構成してある。
【実施例】
【０００９】以下、添付図面に従って一実施例を説明する。１は基礎となる基台である、２は主柱管でこの基台の上面に立設されている、４８と４９は前部と後部の支持足を挟持するコ型金具であり基台の両端部の裏面に設けてあり、この４８は前部に個着されているコ型金具であり４の支持足が挟み込まれるよう挟持されるとともに４の支持足部の中央部に設けてある５のネジにより１の基台のネジ穴に螺着されるよう構成されており、この４の支持足部の両端裏面には６の滑止と防振兼用の防振ゴムが設けられている。【００１０】４９は前記１の基台に設けられている後部のコ型金具であり１の基台の後部裏面に個着されていて９の後部支持足が挟み込まれるよう挟持されるとともに後部支持足の中央部に設けてある１１のネジにより１の基台のネジ穴に螺着させるよう構成されている、【００１１】また９の支持足は長さを調整できるように構成し、９の第一部材と１０の第二部材とで構成されていて、１０は第二部材であり９の内に収納可能に装着されるよう構成され、１０を９に収納することにより、後部支持足の長さを短く、また１０を引き出すことによって後部支持足を長く調整することができるとともに１０の両端の裏面には滑止と防振兼用の１２の防振ゴムが個着されている。【００１２】２は主柱管であり、この主柱管は１の基台の中空部に、基台の上面より下面に向け主柱管の足部を押嵌するための丸管が押設されており、この押設された丸管の開口部に２の主柱管の足部を押嵌させる、また３は主柱管の係止用金具であり、２の主柱管の足部より上位置部分に前後へ突設するよう主柱管に個着させており、３の主柱管係止金具に設けてあるネジによって１の基台へ螺着させるように構成し、２の主柱管を１の基台に固定する。【００１３】１７は枢軸管であり、この１７の枢軸管の内開口部を２の主柱管の外周部に覆い被せるよう２の主柱管の外側へ軸着させたことにより１７の枢軸管は回転できるように構成されている。【００１４】１９は回転用芯管であり、１７の枢軸管の上部に横設するように融着されており、横設された回転用芯管の両端には１８の揺動用管が軸着されており、回転できるように形成されていて、また１９の回転用芯管の中央部には２１の一部波形板バネを取付けするための穴が上から下へ貫通しボルトを洞貫させるようにしてある、また１９の回転用芯管に軸着されている１８の揺動用管には、２２の載置パネル係止パイプを取付けするためのボルト用穴が１８の揺動用管の上から下へ貫通してある。【００１５】２８は人を載置することができる載置パネルであり、また１８の揺動用管に２本の載置パネル体係止用パイプが取付けられており、その２２の載置パネル体係止パイプの上後部に２８の載置パネルが取付けるように構成してあり、また２８の載置パネルの裏面部の４隅近くには４個の載置パネルを係止パイプに取付けするための３０の足が設けており、この足部の中心部には丸の開口部が施されている、この開口部に２２の載置パネル体係止パイプを洞貫させことにより２８の載置パネルが装着されるとともに２８の載置パネルは係止パイプ上を前後に移動することができる、この取付け用足４個のうち後部側に設けてある２個の取付け用足には２９の係止用のネジが設けており、この２９の係止用ネジよって好みの位置に２８の載置パネルを係止することができる。【００１６】２１は一部波形板ばねであり、１９の回転用芯管の中央部を上から下に向けボルトを洞貫するための穴が開口されており、この開口部位置に２１の一部波形板バネのボルト穴を重ね合わせて１９の回転用芯管と２１の一部波形板バネを洞貫させたボルトにより挟持する、２３は人によって踏圧を加えるための加圧用管であり、２本の２２の載置パネル体係止パイプを横架するように係止パイプに個着されていて、この２３の加圧用管の中央部下面には２４の受止め金具が設けられ、板バネを突通することができるように開口部が設けてあり２４の受止め金具の開口部へ２１の一部波形板バネの後端部を遊嵌させることにより、人の足動によって２１の一部波形板バネを押圧してバネの弾性を受けることにより揺動運動がおこなわれるように構成した。【００１７】２７は２１の一部波形板バネの反動を押さえるためのブラケットであり、この２７のブラケットは１７の枢軸管の下部位より前方向に突き出るように突設させ１７の枢軸管に個着させている、この２７のブラケットの先端部には２６の受止め金具が設けられていて、この２６の受止め金具の中央部においては、板バネを挟持するための開口部が設けてあり、それにより２６の受止め金具の開口部に２１の一部波形板バネの前先端部を繋止することによって２１の一部波形板バネの反動を押さえることができる。【００１８】１４は回転静止外板であり、２８の載置パネルを人動で足動された場合に横振動が行われるが、その横振り範囲を制御しなくてはならないための横振り範囲を制御する静止板である、この静止板は１の基台の上面部に立設された２の主柱管より少し後部位へコ型に配設するよう１４の回転静止用の外板を立設し、この２枚のコ型１４の回転静止外板部の内部には１５の回転静止用の内板を制御範囲内で横振動できる回転静止内板が１７の枢軸管の下部に突設するよう設けてあり、それによって１５の回転静止内板を１４で２枚の回転静止外板内を横振動させることができ、それに１５の回転静止内板の外端部においては１６の静止用ゴム体が取付けられており静止内板と静止外板の衝突を柔突さすためのゴム体である。【００１９】７は手摺り用の取付け管であり、４の前部支持足の上面部に設けられるとともに取付け管の横中央部には８のネジが設けられていて、これによって手摺パイプを取付け管の開口部に嵌挿させ、８のネジにより手摺りパイプを挟着させる。
【産業上の利用可能性】
【符号の説明】１  基台
２  主柱管
４  前部支持足
６  防振ゴム
７  手摺り用取付け管
９  後部支持足
１４  回転静止用外板
１５  回転静止用内板
１７  枢軸管
１８  揺動用管
１９  回転用芯管
２１  一部波形板バネ
２２  載置パネル係止用パイプ
２７  ブラケット
２８  載置パネル
３１  湾曲型押圧受部
【図１】
0003159735.tif 000003
【図２】
0003159735.tif 000004
【図３】
0003159735.tif 000005